(57)【特許請求の範囲】
【請求項１】
前部に、表面に前後方向にそれぞれ延びる複数の端子配列溝を持つ薄板状のインシュレータ部を有すると共に、後部に、前記各端子配列溝にそれぞれ一直線に連通した断面矩形状の端子圧入孔を有するハウジングと、
前記端子圧入孔の断面サイズよりも僅かに小さいサイズの断面矩形状に形成され、先端側に、前記のインシュレータ部の端子配列溝に挿入配置され且つ相手コネクタ側の端子と接触導通する電気接触部を有すると共に、該電気接触部の後側に、前記端子圧入孔に後方から圧入固定される圧入固定部を有した複数のコンタクトと、
を備えるコネクタであって、
前記コンタクトが前記ハウジングに装着された際に、前記コンタクトの前記端子配列溝の底面に当接する外側面を下面、その反対側の外側面を上面とし、該コンタクトの上面と対向する前記端子圧入孔の内壁を上壁、その反対側の前記コンタクトの下面と対向する前記端子圧入孔の内壁を下壁とする場合、
前記端子圧入孔の上壁と下壁は、前記コンタクトの配列方向である左右方向と直交する上下方向に存在しており、
前記コンタクトの圧入固定部の上面には、該コンタクトの長手方向に離間した複数の箇所に、該コンタクトの下面に凹状の押し込み部を形成することで、前記端子圧入孔の上壁に圧接するアーチ形の湾曲凸部が設けられ、
該湾曲凸部は、前記コンタクトの上面の左右幅方向の両端に間隔を開けて配置され、その両端の湾曲凸部の間には、非変形部としての平坦部が残置されており、
その残置された非変形部の下面が、該非変形部の前後のコンタクトの下面と面一に連続していることを特徴とするコネクタ。
【発明の詳細な説明】
【技術分野】
【０００１】
本発明は、ハウジングの端子圧入孔にそれぞれ後方からコンタクトを圧入して、各コンタクトの先端側の電気接触部（相手コネクタ側の端子と摺動接触する部分）を、ハウジングの前部に一体に突設した薄板状のインシュレータ部の表面の端子配列溝にそれぞれ挿入し配置したコネクタに関するものである。
【背景技術】
【０００２】
この種のコネクタの例として、例えば、特許文献１に記載されたＨＤＭＩ規格のコネクタが知られている。
図５は、特許文献１に記載されたコネクタと類似の従来のコネクタの外観を示している。
このコネクタ１は、絶縁性樹脂で一体成形されたハウジング２と、上段と下段の２段に配列されたコンタクト１０と、を具備している。
【０００３】
各コンタクト１０は、ハウジング２に形成された端子圧入孔３に後方から圧入されており、先端側の各電気接触部１５が、ハウジング２の前部に突設された薄板状のインシュレータ部４の上下面（表面）の端子配列溝５にそれぞれ挿入配置されている。各端子圧入孔３と端子配列溝５は一直線に連通しており、端子圧入孔３は断面矩形状に形成され、端子配列溝５は矩形溝として形成されている。
【０００４】
図６はこのコネクタに使用されているコンタクト１０の構成を示す斜視図、図７は図６の二点鎖線で囲んだ部分の拡大図、図８は図７に示した部分を裏返して示す拡大図である。コンタクト１０は、断面矩形の板状のもので、上段と下段に、それぞれ左右方向に一定ピッチで配列されている。上段の列のコンタクト１０と下段の列のコンタクト１０は、最後端の回路基板接続用の後足部１６を除いて、上下の向きが反対になっている。
【０００５】
各コンタクト１０は、端子圧入孔３の断面サイズよりも僅かに小さいサイズの断面矩形状に形成され、先端側に、ハウジング２のインシュレータ部４の端子配列溝５に挿入配置される電気接触部１５を有すると共に、電気接触部１５の後側に、端子圧入孔３に後方から圧入固定される圧入固定部１１を有し、最後端に後足部１６を有している。
【０００６】
圧入固定部１１の通常幅部の左右方向の幅Ｄ１は、端子圧入孔３の断面の左右幅寸法よりも小さいが、圧入固定部１１の長手方向の後半部には、端子圧入孔３の断面の左右幅寸法よりも大きい幅Ｄ２を有する幅広部１２が設けられている。この幅Ｄ１の通常幅部から幅Ｄ２の幅広部１２への移行部の左右側面には、端子圧入孔３への幅広部１２の圧入を容易にするための傾斜壁１３が設けられている。
【０００７】
いま、コンタクト１０がハウジング２に装着された際に、コンタクト１０の、端子配列溝５の内底面５ｂに当接する外側面を下面１０ｂ、その反対側の外側面を上面１０ａ、左右の外側面を左右側面１０ｃとし、コンタクト１０の上面１０ａと対向する端子圧入孔３の内壁を上壁３ａ、その反対側のコンタクト１０の下面１０ｂと対向する端子圧入孔３の内壁を下壁３ｂとする場合、端子圧入孔３の上壁３ａと下壁３ｂは、コンタクト１０の配列方向である左右方向と直交する上下方向に存在している。
【０００８】
ここでは、上段のコンタクト１０と上段の端子圧入孔３の関係についてだけ述べるが、下段のコンタクト１０と端子圧入孔３の関係は、上段の場合と上下の向きが逆になっているだけであり、上面１０ａ、下面１０ｂ、上壁３ａ、下壁３ｂの呼称については同じである。
【０００９】
図９（ａ）はコンタクト１０をハウジング２に装着した状態を示す断面図、図９（ｂ）はその要部拡大図である。
コンタクト１０の圧入固定部１１の上面１０ａには、コンタクト１０の長手方向（前後方向）に離間した２箇所に、コンタクト１０の下面１０ｂに凹状の押し込み部２１を形成することで、端子圧入孔３の上壁３ａに圧接するアーチ形の湾曲凸部２０が設けられている。この湾曲凸部２０は、コンタクト１０の幅方向の全域にわたり形成されている。ここで、端子圧入孔３の下壁３ｂから上壁３ａまでの高さをＨ３とすると、コンタクト１０の下面１０ｂから上面１０ａまでの高さＨ１は、Ｈ１＜Ｈ３の関係に設定されている。また、コンタクト１０の下面１０ｂから湾曲凸部２０の頂点までの高さＨ２は、Ｈ２＞Ｈ３の関係に設定されている。
【００１０】
従って、端子圧入孔３に後方からコンタクト１０の圧入固定部１１を圧入した場合、コンタクト１０の湾曲凸部２０の頂点が端子圧入孔３の上壁３ａに圧接することで、コンタクト１０の下面１０ｂを、圧入固定部１１から電気接触部１５の先端１５ａに到るまで、端子圧入孔３の下壁３ｂや端子配列溝５の内底面５ｂに密着させることができ、それにより、装着したコンタクト１０の上下方向のガタ付きを防止することができる。
【００１１】
また、コンタクト１０の圧入固定部１１を端子圧入孔３に圧入した際、圧入固定部１１の幅広部１２を、端子圧入孔３の左右側壁に圧接させるので、左右方向つまりコンタクト１０の配列方向におけるガタ付きを防止することができる。
【先行技術文献】
【特許文献】
【００１２】
【特許文献１】特開２００８−２７０１７９号公報
【発明の概要】
【発明が解決しようとする課題】
【００１３】
ところで、実際にコンタクト１０をハウジング２の端子圧入孔３に圧入した場合、次のような現象が起こり得ることが分かった。即ち、圧入によりコンタクト１０の湾曲凸部２０が端子圧入孔３の上壁３ａに圧接した際に、端子圧入孔３の上壁３ａからの反力により湾曲凸部２０が僅かに変形することになるが、その変形時の力により、凹状の押し込み部２１の前端縁部２１ａが支点となって、図１０に示すように、コンタクト１０の先端側の電気接触部１５が、端子配列溝５の内底面５ｂから浮き上がる現象が起こることがあった。
【００１４】
そのような浮き上がりが発生した場合、そのまま相手コネクタ５０と本コネクタ１を嵌合させようとした際に、コンタクト１０の電気接触部１５の先端１５ａに、相手コネクタ５０側の端子５２の先端が衝突する（図１０の二点鎖線で示す部分）ことがあり、端子５２が座屈して、コネクタの嵌合ができなくなるおそれがある。
【００１５】
本発明は、上述した事情に鑑みてなされたものであり、その目的は、圧入したコンタクトの先端側の浮き上がりを防止し、確実に相手コネクタとの嵌合ができるようにしたコネクタを提供することにある。
【課題を解決するための手段】
【００１６】
前述した目的を達成するために、本発明に係るコネクタは、下記（１）を特徴としている。
（１）  前部に、表面に前後方向にそれぞれ延びる複数の端子配列溝を持つ薄板状のインシュレータ部を有すると共に、後部に、前記各端子配列溝にそれぞれ一直線に連通した断面矩形状の端子圧入孔を有するハウジングと、
前記端子圧入孔の断面サイズよりも僅かに小さいサイズの断面矩形状に形成され、先端側に、前記のインシュレータ部の端子配列溝に挿入配置され且つ相手コネクタ側の端子と接触導通する電気接触部を有すると共に、該電気接触部の後側に、前記端子圧入孔に後方から圧入固定される圧入固定部を有した複数のコンタクトと、
を備えるコネクタであって、
前記コンタクトが前記ハウジングに装着された際に、前記コンタクトの前記端子配列溝の底面に当接する外側面を下面、その反対側の外側面を上面とし、該コンタクトの上面と対向する前記端子圧入孔の内壁を上壁、その反対側の前記コンタクトの下面と対向する前記端子圧入孔の内壁を下壁とする場合、
前記端子圧入孔の上壁と下壁は、前記コンタクトの配列方向である左右方向と直交する上下方向に存在しており、
前記コンタクトの圧入固定部の上面には、該コンタクトの長手方向に離間した複数の箇所に、該コンタクトの下面に凹状の押し込み部を形成することで、前記端子圧入孔の上壁に圧接するアーチ形の湾曲凸部が設けられ、
該湾曲凸部は、前記コンタクトの上面の左右幅方向の両端に間隔を開けて配置され、その両端の湾曲凸部の間には、非変形部としての平坦部が残置されており、
その残置された非変形部の下面が、該非変形部の前後のコンタクトの下面と面一に連続していること。
【００１７】
上記（１）の構成のコネクタによれば、コンタクトの上面の左右幅方向両端の湾曲凸部の間に非変形部を残し、その非変形部の下面を、非変形部の前後のコンタクトの下面と面一に連続させているので、非変形部の下面を、非変形部の前後のコンタクト下面と同様に、端子圧入孔の下壁に連続して密着させることができ、非変形部の下面に踏ん張りを効かせることができる。従って、非変形部の存在によって、湾曲凸部の上下方向の動きに規制を働かせることができ、湾曲凸部より先端側の電気接触部の端子配列溝の内底面からの浮き上がりを防止することができる。その結果、相手コネクタ側の端子との衝突を回避することができて、確実に相手コネクタとの嵌合ができるようになる。
【発明の効果】
【００１８】
本発明によれば、圧入したコンタクトの先端側の浮き上がりを防止することができ、確実に相手コネクタとの嵌合ができるようになる。
【００１９】
以上、本発明について簡潔に説明した。更に、以下に説明される発明を実施するための形態を添付の図面を参照して通読することにより、本発明の詳細は更に明確化されるであろう。
【図面の簡単な説明】
【００２０】
【図１】本発明の実施形態のコネクタに使用するコンタクトの全体構成を示す斜視図である。
【図２】図１の要部の拡大斜視図である。
【図３】図２に示す部分を裏返して示す拡大斜視図である。
【図４】本発明の実施形態のコンタクトをハウジングに装着した状態を示す図であって、図４（ａ）は同実施形態のコンタクトをハウジングに装着した状態を示す断面図、図４（ｂ）はその要部拡大図である。
【図５】従来例のコネクタ及び本発明の実施形態のコネクタの外観を共通に示す斜視図である。
【図６】従来のコネクタに使用するコンタクトの全体構成を示す斜視図である。
【図７】図６の要部の拡大斜視図である。
【図８】図７に示す部分を裏返して示す拡大斜視図である。
【図９】従来のコンタクトをハウジングに装着した状態を示す図であって、図９（ａ）は従来のコンタクトをハウジングに装着した状態を示す断面図、図９（ｂ）はその要部拡大図である。
【図１０】従来のコネクタにおける問題点を示す拡大図である。
【発明を実施するための形態】
【００２１】
以下、本発明の実施形態を図面を参照して説明する。
図１は実施形態のコネクタに使用するコンタクトの全体構成を示す斜視図、図２は図１の要部の拡大斜視図、図３は図２に示す部分を裏返して示す拡大斜視図、図４（ａ）は同実施形態のコンタクトをハウジングに装着した状態を示す断面図、図４（ｂ）はその要部拡大図である。なお、コネクタの外観構成については図５を参照する。
【００２２】
図５に示すように、この実施形態のコネクタ１０１は、絶縁性樹脂で一体成形されたハウジング２と、上段と下段の２段に配列されたコンタクト１１０と、を具備している。
【００２３】
各コンタクト１１０は、ハウジング２に形成された端子圧入孔３に後方から圧入されており、先端側の各電気接触部１１５が、ハウジング２の前部に突設された薄板状のインシュレータ部４の上下面（表面）の端子配列溝５にそれぞれ挿入配置されている。各端子圧入孔３と端子配列溝５は一直線に連通しており、端子圧入孔３は断面矩形状に形成され、端子配列溝５は矩形溝として形成されている。
【００２４】
図１〜図３に示すように、このコネクタに使用されているコンタクト１１０は、断面矩形の板状のもので、上段と下段に、それぞれ左右方向に一定ピッチで配列されている。上段の列のコンタクト１１０と下段の列のコンタクト１１０は、最後端の回路基板接続用の後足部１１６を除いて、上下の向きが反対になっている。
【００２５】
各コンタクト１１０は、端子圧入孔３の断面サイズよりも僅かに小さいサイズの断面矩形状に形成され、先端側に、ハウジング２のインシュレータ部４の端子配列溝５に挿入配置される電気接触部１１５を有すると共に、電気接触部１１５の後側に、端子圧入孔３に後方から圧入固定される圧入固定部１１１を有し、最後端に後足部１１６を有している。
【００２６】
圧入固定部１１１の通常幅部の左右方向の幅Ｄ１は、端子圧入孔３の断面の左右幅寸法よりも小さいが、圧入固定部１１１の長手方向の後半部には、端子圧入孔３の断面の左右幅寸法よりも大きい幅Ｄ２を有する幅広部１１２が設けられている。この幅Ｄ１の通常幅部から幅Ｄ２の幅広部１１２への移行部の左右側面には、端子圧入孔３への幅広部１１２の圧入を容易にするための傾斜壁１１３が設けられている。
【００２７】
いま、図４（ａ）、図４（ｂ）に示すように、コンタクト１１０がハウジング２に装着された際に、コンタクト１１０の、端子配列溝５の内底面５ｂに当接する外側面を下面１１０ｂ、その反対側の外側面を上面１１０ａ、左右の外側面を左右側面１１０ｃとし、コンタクト１１０の上面１１０ａと対向する端子圧入孔３の内壁を上壁３ａ、その反対側のコンタクト１１０の下面１１０ｂと対向する端子圧入孔３の内壁を下壁３ｂとする場合、端子圧入孔３の上壁３ａと下壁３ｂは、コンタクト１１０の配列方向である左右方向と直交する上下方向に存在している。
【００２８】
ここでは、上段のコンタクト１１０と上段の端子圧入孔３の関係についてだけ述べるが、下段のコンタクト１１０と端子圧入孔３の関係は、上段の場合と上下の向きが逆になっているだけであり、上面１１０ａ、下面１１０ｂ、上壁３ａ、下壁３ｂの呼称については同じである。
【００２９】
コンタクト１１０の圧入固定部１１１の上面１１０ａには、コンタクト１１０の長手方向（前後方向）に離間した２箇所に、コンタクト１１０の下面１１０ｂに凹状の押し込み部１２１を形成することで、端子圧入孔３の上壁３ａに圧接するアーチ形の湾曲凸部１２０が設けられている。本実施形態では、湾曲凸部１２０は、コンタクト１１０の上面の左右幅方向の両端に間隔を開けて配置されており、その両端の湾曲凸部１２０、１２０の間には、非変形部１２５としての平坦部が残置されている。そして、残置された非変形部１２５の上面１２５ａ及び下面１２５ｂが、非変形部１２５の前後のコンタクトの上面１１０ａ及び下面１１０ｂとそれぞれ面一に連続している。
【００３０】
この場合、端子圧入孔３の下壁３ｂから上壁３ａまでの高さをＨ３とすると、コンタクト１１０の下面１１０ｂから上面１１０ａまでの高さＨ１は、Ｈ１＜Ｈ３の関係に設定されている。また、コンタクト１１０の下面１１０ｂから湾曲凸部１２０の頂点までの高さＨ２は、Ｈ２＞Ｈ３の関係に設定されている。
【００３１】
従って、端子圧入孔３に後方からコンタクト１１０の圧入固定部１１１を圧入した場合、コンタクト１１０の湾曲凸部１２０の頂点が端子圧入孔３の上壁３ａに圧接することで、コンタクト１１０の下面１１０ｂを、圧入固定部１１１から電気接触部１１５の先端１１５ａに到るまで、端子圧入孔３の下壁３ｂや端子配列溝５の内底面５ｂに密着させることができ、それにより、装着したコンタクト１１０の上下方向のガタ付きを防止することができる。
【００３２】
特に、コンタクト１１０の上面の左右幅方向両端の湾曲凸部１２０、１２０の間に非変形部１２５を残し、その非変形部１２５の下面１２５ｂを、非変形部１２５の前後のコンタクトの下面１１０ｂと面一に連続させているので、非変形部１２５の下面１２５ｂを、非変形部１２５の前後のコンタクト下面１１０ｂと同様に、端子圧入孔３の下壁３ｂに連続して密着させることができ、非変形部１２５の下面１２５ｂに踏ん張りを効かせることができる。
【００３３】
従って、非変形部１２５の存在によって、湾曲凸部１２０の上下方向の動きに規制を働かせることができ、湾曲凸部１２０より先端側の電気接触部１１５の端子配列溝５の内底面５ｂからの浮き上がりを防止することができる。その結果、相手コネクタ側の端子との衝突を回避することができて、確実に相手コネクタとの嵌合ができるようになる。また、互いに離れた４つの湾曲凸部１２０の頂点が端子圧入孔３の上壁３ａに圧接するので、安定してコンタクト１１０を端子圧入孔３の下壁３ｂに押え付けることができる。
【００３４】
また、コンタクト１１０の圧入固定部１１１を端子圧入孔３に圧入した際、圧入固定部１１１の幅広部１１２を、端子圧入孔３の左右側壁に圧接させるので、左右方向つまりコンタクト１１０の配列方向におけるガタ付きを防止することができる。
【００３５】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００３６】
２  ハウジング
３  端子圧入孔
３ａ  上壁
３ｂ  下壁
４  インシュレータ部
５  端子配列溝
５ｂ  内底面
１０１  コネクタ
１１０  コンタクト
１１０ａ  上面
１１０ｂ  下面
１１１  圧入固定部
１１５  電気接触部
１２０  湾曲凸部
１２１  凹状の押し込み部
１２５  非変形部
１２５ｂ  下面
【図１】
0005707138.tif 000002
【図２】
0005707138.tif 000003
【図３】
0005707138.tif 000004
【図４】
0005707138.tif 000005
【図５】
0005707138.tif 000006
【図６】
0005707138.tif 000007
【図７】
0005707138.tif 000008
【図８】
0005707138.tif 000009
【図９】
0005707138.tif 000010
【図１０】
0005707138.tif 000011